(57)【要約】【課題】第１ハウジングと第２ハウジングとの嵌合状態を容易に検知することができるコネクタを提供する。【解決手段】コネクタ１において、パネル３に組付けられる第１ハウジング５と、第１ハウジング５に嵌合可能な第２ハウジング７と、第２ハウジング７の外周を覆いパネル３に密着されるリップ部９を有するグロメット１１と、第２ハウジング７の外周に移動可能に配置されグロメット１１のリップ部９側が組付けられリップ部９をパネル３から離間した状態で第２ハウジング７に対する移動が規制されたフランジ部１３と、第１ハウジング５と第２ハウジング７とが正規に嵌合した状態でフランジ部１３をパネル３側に移動可能としリップ部９をパネル３に密着可能とさせる嵌合検知手段１５とを有した。【選択図】図３
2020173895.tif 000002
【特許請求の範囲】
【請求項１】
パネルに組付けられる第１ハウジングと、
前記第１ハウジングに嵌合可能な第２ハウジングと、
前記第２ハウジングの外周を覆い前記パネルに密着されるリップ部を有するグロメットと、
前記第２ハウジングの外周に移動可能に配置され前記グロメットの前記リップ部側が組付けられ前記リップ部を前記パネルから離間した状態で前記第２ハウジングに対する移動が規制されたフランジ部と、
前記第１ハウジングと前記第２ハウジングとが正規に嵌合した状態で前記フランジ部を前記パネル側に移動可能とし前記リップ部を前記パネルに密着可能とさせる嵌合検知手段と、
を有することを特徴とするコネクタ。
【請求項２】
請求項１記載のコネクタであって、
前記第２ハウジングと前記フランジ部との間には、撓み可能に設けられた係合部と、前記係合部が係合され前記第２ハウジングに対する前記フランジ部の移動を規制する被係合部とが設けられ、
前記嵌合検知手段は、前記第１ハウジングと前記第２ハウジングとが正規に嵌合した状態で、前記係合部を撓ませ前記係合部と前記被係合部との係合を解除させる解除部材を有することを特徴とするコネクタ。
【請求項３】
請求項２記載のコネクタであって、
前記解除部材は、前記第１ハウジングと前記第２ハウジングとの間に移動可能に配置され、前記第１ハウジングと前記第２ハウジングとの嵌合によって移動されることを特徴とするコネクタ。
【発明の詳細な説明】
【技術分野】
【０００１】
本発明は、コネクタに関する。詳細には、一方のハウジングがパネルに組付けられ、他方のハウジングがグロメットで覆われた状態でハウジング同士が嵌合するコネクタに関する。
【背景技術】
【０００２】
従来、コネクタとしては、パネルに組付けられる第１ハウジングと、第１ハウジングに嵌合可能な第２ハウジングと、第２ハウジングの外周を覆いパネルに密着されるリップ部としての弾性シール片を有するグロメットとを備えたものが知られている（例えば、特許文献１参照）。
【０００３】
このコネクタでは、第２ハウジングの外周に、グロメットを組付けるためのフランジ部が第２ハウジングと一体に設けられ、第１ハウジングがパネルに組付けられ、グロメットが第２ハウジングのフランジ部に組付けられている。
【０００４】
このようなコネクタでは、第１ハウジングに対して第２ハウジングを嵌合させることにより、第２ハウジングのフランジ部に組付けられたグロメットの弾性シール片が、パネルの表面に密着し、パネルの第１ハウジング側と第２ハウジング側とを区画する。
【先行技術文献】
【特許文献】
【０００５】
【特許文献１】特開２０１０−１２９２５６号公報
【発明の概要】
【発明が解決しようとする課題】
【０００６】
しかしながら、上記特許文献１のようなコネクタでは、第１ハウジングと第２ハウジングとが嵌合した状態で、第２ハウジングの外周を覆うグロメットのリップ部がパネルに密着してしまうので、第１ハウジングと第２ハウジングとの嵌合状態を視認することができなかった。
【０００７】
このため、第１ハウジングと第２ハウジングとの嵌合状態を検知するためには、第１ハウジングと第２ハウジングとを嵌合させた後、第２ハウジングを第１ハウジングから離脱させる方向に引っ張る作業が必要となるなど、嵌合状態を検知することが煩雑になっていた。
【０００８】
そこで、この発明は、第１ハウジングと第２ハウジングとの嵌合状態を容易に検知することができるコネクタの提供を目的としている。
【課題を解決するための手段】
【０００９】
請求項１記載の発明は、パネルに組付けられる第１ハウジングと、前記第１ハウジングに嵌合可能な第２ハウジングと、前記第２ハウジングの外周を覆い前記パネルに密着されるリップ部を有するグロメットと、前記第２ハウジングの外周に移動可能に配置され前記グロメットの前記リップ部側が組付けられ前記リップ部を前記パネルから離間した状態で前記第２ハウジングに対する移動が規制されたフランジ部と、前記第１ハウジングと前記第２ハウジングとが正規に嵌合した状態で前記フランジ部を前記パネル側に移動可能とし前記リップ部を前記パネルに密着可能とさせる嵌合検知手段とを有することを特徴とするコネクタである。
【００１０】
このコネクタでは、第１ハウジングと第２ハウジングとが正規に嵌合した状態でフランジ部をパネル側に移動可能としリップ部をパネルに密着可能とさせる嵌合検知手段を有するので、第１ハウジングと第２ハウジングとの正規嵌合状態ではフランジ部をパネル側に移動することができ、第１ハウジングと第２ハウジングとが正規に嵌合していない状態ではフランジ部をパネル側に移動することができない。
【００１１】
従って、このようなコネクタでは、第１ハウジングと第２ハウジングとの嵌合状態をフランジ部の移動の可否によって検出することができ、第１ハウジングと第２ハウジングとの嵌合状態を容易に検知することができる。
【００１２】
請求項２記載の発明は、請求項１記載のコネクタであって、前記第２ハウジングと前記フランジ部との間には、撓み可能に設けられた係合部と、前記係合部が係合され前記第２ハウジングに対する前記フランジ部の移動を規制する被係合部とが設けられ、前記嵌合検知手段は、前記第１ハウジングと前記第２ハウジングとが正規に嵌合した状態で、前記係合部を撓ませ前記係合部と前記被係合部との係合を解除させる解除部材を有することを特徴とする。
【００１３】
このコネクタでは、嵌合検知手段が、第１ハウジングと第２ハウジングとが正規に嵌合した状態で、係合部を撓ませ係合部と被係合部との係合を解除させる解除部材を有するので、解除部材による係合部と被係合部との係合解除の可否によって、第２ハウジングに対するフランジ部の移動の可否を安定して制御することができる。
【００１４】
請求項３記載の発明は、請求項２記載のコネクタであって、前記解除部材は、前記第１ハウジングと前記第２ハウジングとの間に移動可能に配置され、前記第１ハウジングと前記第２ハウジングとの嵌合によって移動されることを特徴とする。
【００１５】
このコネクタでは、解除部材が、第１ハウジングと第２ハウジングとの間に移動可能に配置され、第１ハウジングと第２ハウジングとの嵌合によって移動されるので、解除部材による係合部と被係合部との係合解除の可否を、第１ハウジングと第２ハウジングとの嵌合状態に合わせて安定して連動させることができる。
【発明の効果】
【００１６】
本発明によれば、第１ハウジングと第２ハウジングとの嵌合状態を容易に検知することができるコネクタを提供することができるという効果を奏する。
【図面の簡単な説明】
【００１７】
【図１】本発明の実施の形態に係るコネクタの第１ハウジングと第２ハウジングとが正規に嵌合したときの側面図である。
【図２】図１のグロメットを取り外したときの側面図である。
【図３】図１の断面図である。
【図４】本発明の実施の形態に係るコネクタの第１ハウジングと第２ハウジングとを嵌合させるときの側面図である。
【図５】図４のグロメットを取り外したときの側面図である。
【図６】図４の断面図である。
【図７】本発明の実施の形態に係るコネクタの第１ハウジングと第１端子の斜視図である。
【図８】本発明の実施の形態に係るコネクタの第１ハウジングをパネルに組付けたときの斜視図である。
【図９】本発明の実施の形態に係るコネクタの第１ハウジングをパネルに組付けたときの側面図である。
【図１０】本発明の実施の形態に係るコネクタの第２ハウジングとフランジ部と解除部材と第２端子の斜視図である。
【図１１】図１０の部材を組付けたときの斜視図である。
【図１２】本発明の実施の形態に係るコネクタの第２ハウジングにフランジ部を組付けたときの側面図である。
【図１３】本発明の実施の形態に係るコネクタの解除部材の斜視図である。
【図１４】本発明の実施の形態に係るコネクタの第２ハウジングにフランジ部と解除部材を組付け、解除部材を移動させ、フランジ部を移動させたときの側面図である。
【発明を実施するための形態】
【００１８】
図１〜図１４を用いて本発明の実施の形態に係るコネクタについて説明する。
【００１９】
本実施の形態に係るコネクタ１は、パネル３に組付けられる第１ハウジング５と、第１ハウジング５に嵌合可能な第２ハウジング７と、第２ハウジング７の外周を覆いパネル３に密着されるリップ部９を有するグロメット１１と、第２ハウジング７の外周に移動可能に配置されグロメット１１のリップ部９側が組付けられリップ部９をパネル３から離間した状態で第２ハウジング７に対する移動が規制されたフランジ部１３と、第１ハウジング５と第２ハウジング７とが正規に嵌合した状態でフランジ部１３をパネル３側に移動可能としリップ部９をパネル３に密着可能とさせる嵌合検知手段１５とを有する。
【００２０】
また、第２ハウジング７とフランジ部１３との間には、撓み可能に設けられた係合部１７と、係合部１７が係合され第２ハウジング７に対するフランジ部１３の移動を規制する被係合部１９とが設けられている。
【００２１】
そして、嵌合検知手段１５は、第１ハウジング５と第２ハウジング７とが正規に嵌合した状態で、係合部１７を撓ませ係合部１７と被係合部１９との係合を解除させる解除部材２１を有する。
【００２２】
さらに、解除部材２１は、第１ハウジング５と第２ハウジング７との間に移動可能に配置され、第１ハウジング５と第２ハウジング７との嵌合によって移動される。
【００２３】
図１〜図１４に示すように、パネル３は、車両のドアなどに配置され、パネル３の一面側が被水領域となっており、パネル３の他面側が車室側などの非被水領域となっている。
【００２４】
このパネル３の非被水領域側には、第１ハウジング５が配置され、被水領域側には、第２ハウジング７が配置される。
【００２５】
このようなパネル３には、一面側と他面側とを貫通して組付穴２３が設けられ、この組付穴２３に第１ハウジング５が組付けられる。
【００２６】
第１ハウジング５は、合成樹脂などの絶縁性材料からなり、端子収容室２５と、パネル取付部２７と、係止部２９とを備えている。
【００２７】
端子収容室２５は、第１ハウジング５の内部に、第２ハウジング７との嵌合方向に向けて延設され、幅方向に複数列設けられると共に、高さ方向に複数段設けられている。
【００２８】
この端子収容室２５には、電線３１の端末部に電気的に接続された箱状の接続部を有する雌型端子からなる第１端子３３がそれぞれ収容される。
【００２９】
なお、端子収容室２５内には、第１端子３３と係合する係止ランス（不図示）やスペーサ３５が設けられており、端子収容室２５からの第１端子３３の抜け止めがなされる。
【００３０】
パネル取付部２７は、第１ハウジング５のパネル３側の外周に、フランジ状に形成され、外径がパネル３の組付穴２３の内径より大きく設定されている。
【００３１】
このパネル取付部２７は、第１ハウジング５をパネル取付部２７と反対側からパネル３の組付穴２３に挿入することにより、組付穴２３の縁部に当接され、第１ハウジング５の組付穴２３からの抜け止めがなされる。
【００３２】
係止部２９は、第１ハウジング５の高さ方向の両側に、それぞれ撓み可能に設けられ、第１ハウジング５をパネル３の組付穴２３に挿入した状態で、パネル３を挟んでパネル取付部２７と対向して配置される。
【００３３】
この係止部２９は、第１ハウジング５の高さ方向の一側をパネル３の組付穴２３に挿入することにより、一方の係止部２９が撓んだ後の復元力によって組付穴２３の縁部に係合され、第１ハウジング５の高さ方向の他側をパネル３の組付穴２３に挿入することにより、他方の係止部２９が撓んだ後の復元力によって組付穴２３の縁部に係合される。
【００３４】
このように係止部２９をパネル３の組付穴２３に係合させることにより、第１ハウジング５がパネル３に組付けられ、パネル３に対して第１ハウジング５が第２ハウジング７と嵌合する前の待ち受け状態が保持される。
【００３５】
第２ハウジング７は、合成樹脂などの絶縁性材料からなり、端子収容室３７と、ロックアーム３９とを備えている。
【００３６】
端子収容室３７は、第２ハウジング７の内部に、第１ハウジング５との嵌合方向に向けて延設され、幅方向に複数列設けられると共に、高さ方向に複数段設けられている。
【００３７】
この端子収容室３７には、電線４１の端末部に電気的に接続されたタブ状の接続部を有する雄型端子からなる第２端子４３がそれぞれ収容される。
【００３８】
なお、端子収容室３７内には、第２端子４３と係合する係止ランス（不図示）やスペーサ４５が設けられており、端子収容室３７からの第２端子４３の抜け止めがなされる。
【００３９】
ロックアーム３９は、第２ハウジング７の高さ方向の一側に、撓み可能に設けられ、ロック部４７と、操作部４９とを備えている。
【００４０】
ロック部４７は、ロックアーム３９の中央部に突設され、第１ハウジング５と第２ハウジング７とが嵌合した状態で、ロックアーム３９が撓んだ後の復元力によって、第１ハウジング５に設けられた被ロック部（不図示）に係合される。
【００４１】
このロック部４７と被ロック部との係合により、第１ハウジング５と第２ハウジング７との嵌合解除方向の移動が規制され、第１ハウジング５と第２ハウジング７との嵌合状態を保持することができる。
【００４２】
操作部４９は、ロックアーム３９の自由端側に設けられ、下方に向けて押圧されることより、ロックアーム３９を撓ませ、ロック部４７と被ロック部との係合を解除させる。
【００４３】
この操作部４９によるロック部４７と被ロック部との係合解除により、第２ハウジング７を第１ハウジング５から取り外すことができる。
【００４４】
このような第２ハウジング７は、パネル３に第１ハウジング５が組付けられた状態で、第１ハウジング５に嵌合され、第１端子３３と第２端子４３とが電気的に接続される。
【００４５】
このように第１ハウジング５と嵌合可能な第２ハウジング７は、被水領域に配置されており、その外周がグロメット１１によって覆われて防水される。
【００４６】
グロメット１１は、ゴムなどの弾性材料からなり、第２ハウジング７を収容可能なように筒状に形成された本体部５１と、本体部５１の一端側に設けられた引出部５３と、本体部５１の他端側に設けられたリップ部９と、リップ部９に隣接して設けられた装着部５５とを備えている。
【００４７】
引出部５３は、本体部５１の一側からパネル３と反対側に向けて筒状に延設され、第２ハウジング７から引き出された複数の電線４１が挿通される。
【００４８】
この引出部５３は、挿通された複数の電線４１の外周に密着され、複数の電線４１に沿って水などが本体部５１内に浸入することを防止し、本体部５１に収容された第２ハウジング７を防水する。
【００４９】
リップ部９は、本体部５１の他側に弾性変形可能に環状に設けられ、第１ハウジング５と第２ハウジング７とが正規に嵌合した状態で、パネル３の表面に密着される。
【００５０】
このリップ部９は、外径がパネル３の組付穴２３の内径や第１ハウジング５のパネル取付部２７の外径より大径に設定され、パネル３の表面に密着することにより、本体部５１に収容された第２ハウジング７を防水すると共に、パネル３の第２ハウジング７側から組付穴２３を介して第１ハウジング５側への水などの浸入を防止し、パネル３の第１ハウジング５側を防水する。
【００５１】
装着部５５は、本体部５１のリップ部９に対してパネル３と反対側に隣接して設けられ、第２ハウジング７より大きな外径を有するように環状に形成され、内部に周方向に連続する溝部が設けられている。
【００５２】
この装着部５５には、第２ハウジング７の外周に組付けられたフランジ部１３が溝部に密着して係合するように組付けられる。
【００５３】
フランジ部１３は、合成樹脂などの絶縁性材料からなり、内径が第２ハウジング７の外径と同等、或いは僅かに大きくなるように環状に形成されている。
【００５４】
このフランジ部１３は、第２ハウジング７の外周に、第１ハウジング５と第２ハウジング７との嵌合方向と同方向に移動可能に組付けられる。
【００５５】
なお、フランジ部１３の内周には、第２ハウジング７の両側壁に突設されたガイドレール５７に係合するガイド凹部５９が設けられ、第２ハウジング７に対するフランジ部１３の移動が案内される。
【００５６】
このようなフランジ部１３は、第１ハウジング５と第２ハウジング７とが嵌合した状態で、グロメット１１のリップ部９がパネル３から離間した位置に配置されるように、第２ハウジング７の外周に組付けられる。
【００５７】
この第２ハウジング７に対するフランジ部１３の組付位置は、第２ハウジング７とフランジ部１３との間に設けられた係合部１７と、被係合部１９との係合によって保持される。
【００５８】
係合部１７は、第２ハウジング７の一側壁に撓み可能に設けられ、第２ハウジング７の高さ方向に一対設けられている。
【００５９】
被係合部１９は、フランジ部１３の内周に、係合部１７と対向する部分の側面に設けられている。
【００６０】
なお、第２ハウジング７の被係合部１９と反対側の面と対向する部分には、突起６１が突設され、フランジ部１３の第１ハウジング５と第２ハウジング７との嵌合解除方向への移動が規制されている。
【００６１】
この係合部１７と被係合部１９とは、フランジ部１３を第２ハウジング７の外周に組付けることによって係合し、フランジ部１３の第１ハウジング５と第２ハウジング７との嵌合方向への移動が規制され、グロメット１１のリップ部９がパネル３から離間した位置である第２ハウジング７に対するフランジ部１３の仮係止位置でフランジ部１３を保持する。
【００６２】
このように仮係止位置で保持されたフランジ部１３に対して装着部５５でグロメット１１を組付けることにより、第１ハウジング５と第２ハウジング７とが嵌合した状態で、グロメット１１のリップ部９がパネル３から離間した位置で保持される。
【００６３】
この仮係止位置で保持されたグロメット１１のリップ部９は、第１ハウジング５と第２ハウジング７とが正規に嵌合した状態で、嵌合検知手段１５によって、フランジ部１３がパネル３側に向けて移動可能となり、フランジ部１３の移動によってパネル３の表面に密着される。
【００６４】
この嵌合検知手段１５は、第１ハウジング５と第２ハウジング７とが正規に嵌合していない状態では、第２ハウジング７に対してフランジ部１３を移動させず、作業者などに対して第１ハウジング５と第２ハウジング７とが正規に嵌合していないことを知らせる。
【００６５】
一方、嵌合検知手段１５は、第１ハウジング５と第２ハウジング７とが正規に嵌合している状態では、第２ハウジング７に対してフランジ部１３を移動可能とさせ、作業者などに対して第１ハウジング５と第２ハウジング７とが正規に嵌合していることを知らせる。
【００６６】
このように嵌合検知手段１５は、第２ハウジング７に対するフランジ部１３の移動の可否によって、第１ハウジング５と第２ハウジング７との嵌合状態を容易に検出することができ、第２ハウジング７を第１ハウジング５から離脱させる方向に引っ張るなどの作業が必要なく、嵌合状態の検知作業が煩雑となることがない。
【００６７】
このような嵌合検知手段１５は、第１ハウジング５と第２ハウジング７との間に移動可能に配置された解除部材２１を有している。
【００６８】
解除部材２１は、合成樹脂などの絶縁性材料からなり、コ字状に形成されて第２ハウジング７の内部に第１ハウジング５と第２ハウジング７との嵌合方向に移動可能に収容され、当接板部６３と、係合板部６５と、解除板部６７とを備えている。
【００６９】
当接板部６３は、平板状に形成され、第１ハウジング５と第２ハウジング７とに設けられた複数の端子収容室２５，３７に合わせて、第２端子４３のタブ状の接続部を挿通可能なように複数の孔が貫通して設けられている。
【００７０】
この当接板部６３は、第２ハウジング７に収容された状態で、端子収容室３７の端面から離間して配置されている。
【００７１】
このような当接板部６３は、第１ハウジング５と第２ハウジング７とが嵌合するときに、第１ハウジング５の端子収容室２５の端面と当接し、解除部材２１を第２ハウジング７の端子収容室３７側に向けて移動させる。
【００７２】
係合板部６５は、当接板部６３の一側から第２ハウジング７の端子収容室３７側に向けて延設され、第２ハウジング７の高さ方向に２箇所設けられている。
【００７３】
この係合板部６５の第２ハウジング７の内壁側には、ガイド突起６９が突設され、第２ハウジング７の側壁に設けられたガイド溝７１に係合される。
【００７４】
このような係合板部６５は、ガイド突起６９とガイド溝７１との係合により、解除部材２１の移動を案内すると共に、第２ハウジング７に対する解除部材２１の配置位置を保持する。
【００７５】
解除板部６７は、当接板部６３の他側から第２ハウジング７の端子収容室３７側に向けて延設され、係合部１７，１７の間と同等、或いは僅かに小さな幅を有している。
【００７６】
なお、解除板部６７の第２ハウジング７の内壁側には、ガイド突起６９が２箇所突設され、第２ハウジング７の側壁の２箇所に設けられたガイド溝７１に係合されている。
【００７７】
この解除板部６７は、第１ハウジング５と当接板部６３との当接によって、解除部材２１が移動されたときに、係合部１７，１７の間に挿入される。
【００７８】
この係合部１７，１７の間に挿入された解除板部６７は、第１ハウジング５と第２ハウジング７とが正規嵌合状態となったときに、係合部１７，１７にそれぞれ設けられた係合突起７３，７３に乗り上げ、係合部１７，１７を第２ハウジング７の内方に向けて撓ませる。
【００７９】
この解除板部６７による係合部１７の撓みにより、係合部１７と被係合部１９との係合が解除され、第２ハウジング７に対してフランジ部１３をパネル３側に向けて移動可能とすることができる。
【００８０】
一方、解除板部６７は、第１ハウジング５と第２ハウジング７とが正規嵌合状態に至らず半嵌合状態であるとき、係合部１７，１７の係合突起７３，７３に到達することがない。
【００８１】
このため、係合部１７は、撓むことがなく、係合部１７と被係合部１９との係合が保持され、第２ハウジング７に対してフランジ部１３をパネル３側に向けて移動させることができない。
【００８２】
このように第１ハウジング５と第２ハウジング７との嵌合状態に合わせて解除部材２１を移動させることにより、安定してフランジ部１３の移動の可否を行うことができ、第１ハウジング５と第２ハウジング７との嵌合状態の検出を安定して行うことができる。
【００８３】
なお、フランジ部１３は、リップ部９をパネル３に密着させるように移動された後、第２ハウジング７とフランジ部１３との間に設けられた係合手段（不図示）によって、第２ハウジング７に対する本係止位置（リップ部９がパネル３に密着した位置）で保持される。
【００８４】
このようなコネクタ１における組付けは、まず、パネル３に第１ハウジング５を組付け、第２ハウジング７にフランジ部１３を組付け、フランジ部１３にグロメット１１を装着する。
【００８５】
次に、第１ハウジング５に対して第２ハウジング７を嵌合させ、フランジ部１３（グロメット１１の装着部５５）をパネル３側に向けて押圧する。
【００８６】
そして、フランジ部１３が移動するときには、フランジ部１３を移動させてリップ部９をパネル３に密着させ、フランジ部１３が移動しないときには、再び、第１ハウジング５に対して第２ハウジング７を嵌合させ、フランジ部１３を移動させてリップ部９をパネル３に密着させ、組付けを完了する。
【００８７】
このようなコネクタ１では、第１ハウジング５と第２ハウジング７とが正規に嵌合した状態でフランジ部１３をパネル３側に移動可能としリップ部９をパネル３に密着可能とさせる嵌合検知手段１５を有するので、第１ハウジング５と第２ハウジング７との正規嵌合状態ではフランジ部１３をパネル３側に移動することができ、第１ハウジング５と第２ハウジング７とが正規に嵌合していない状態ではフランジ部１３をパネル３側に移動することができない。
【００８８】
従って、このようなコネクタ１では、第１ハウジング５と第２ハウジング７との嵌合状態をフランジ部１３の移動の可否によって検出することができ、第１ハウジング５と第２ハウジング７との嵌合状態を容易に検知することができる。
【００８９】
また、嵌合検知手段１５は、第１ハウジング５と第２ハウジング７とが正規に嵌合した状態で、係合部１７を撓ませ係合部１７と被係合部１９との係合を解除させる解除部材２１を有するので、解除部材２１による係合部１７と被係合部１９との係合解除の可否によって、第２ハウジング７に対するフランジ部１３の移動の可否を安定して制御することができる。
【００９０】
さらに、解除部材２１は、第１ハウジング５と第２ハウジング７との間に移動可能に配置され、第１ハウジング５と第２ハウジング７との嵌合によって移動されるので、解除部材２１による係合部１７と被係合部１９との係合解除の可否を、第１ハウジング５と第２ハウジング７との嵌合状態に合わせて安定して連動させることができる。
【００９１】
なお、本発明の実施の形態に係るコネクタでは、解除部材が、第１ハウジングや第２ハウジングと別体で形成されて移動可能に配置されているが、これに限らず、解除部材を第１ハウジングや第２ハウジングと一体に形成し、第１ハウジングと第２ハウジングとの正規嵌合状態で、係合部と被係合部との係合を解除させるようにしてもよい。
【００９２】
また、係合部は、第２ハウジングに設けられ、被係合部は、フランジ部に設けられているが、これに限らず、係合部をフランジ部に設け、被係合部を第２ハウジングに設けてもよい。
【符号の説明】
【００９３】
１…コネクタ
３…パネル
５…第１ハウジング
７…第２ハウジング
９…リップ部
１１…グロメット
１３…フランジ部
１５…嵌合検知手段
１７…係合部
１９…被係合部
２１…解除部材
【図１】
2020173895.tif 000003
【図２】
2020173895.tif 000004
【図３】
2020173895.tif 000005
【図４】
2020173895.tif 000006
【図５】
2020173895.tif 000007
【図６】
2020173895.tif 000008
【図７】
2020173895.tif 000009
【図８】
2020173895.tif 000010
【図９】
2020173895.tif 000011
【図１０】
2020173895.tif 000012
【図１１】
2020173895.tif 000013
【図１２】
2020173895.tif 000014
【図１３】
2020173895.tif 000015
【図１４】
2020173895.tif 000016